【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
端末装置によって、前記端末装置の画面上に表示された地図内に提示されるべき目的地を指定する入力クエリを受信するステップであって、
前記端末装置によって、前記端末装置の前記画面上に表示された前記地図内に現在提示される現在地を選択するユーザ入力を受信するステップであって、前記ユーザ入力が、前記端末装置の前記画面上で行われる、ユーザのプレスおよびホールド操作を含む、ステップと、
前記端末装置によって、前記現在地および前記目的地の間の位置関係に対する要求を示す要求メッセージを生成するステップであって、前記要求メッセージが、前記現在地の識別子を備える、ステップと、
前記端末装置によって、前記要求メッセージを、前記現在地の地理的位置および前記目的地の地理的位置を決定するように構成された地図サーバに送信するステップと、
前記端末装置によって、前記地図サーバから、前記現在地および前記目的地の間の位置関係を受信するステップであって、前記位置関係が、前記現在地の前記地理的位置および前記目的地の前記地理的位置に基づいて決定される、ステップと、
前記端末装置によって、前記地図サーバへの戻り指示の送信をトリガするのに使用される所定の操作を検出するステップであって、前記戻り指示が、前記現在地およびグラフィカルインジケータを表示する第1の地図ビューから、前記目的地に対応する第2の地図ビューへ戻るよう命令するのに使用される、ステップと、
前記所定の操作の検出に応答して、前記端末装置によって、前記戻り指示を前記地図サーバに送信するステップと、
前記端末装置によって、前記地図サーバから、前記第2の地図ビューを受信するステップと、
前記端末装置によって、前記目的地に対応する前記第2の地図ビューと、前記入力クエリの前記目的地および前記ユーザのプレス・ホールド操作の前記現在地の前記位置関係を表す前記グラフィカルインジケータとを表示するステップであって、前記グラフィカルインジケータが、前記位置関係に基づいて決定された指示線および距離値を備え、前記指示線が、前記現在地の表示と前記目的地の表示とを結ぶ直線を備え、前記距離値が、前記指示線で描かれた前記現在地および前記目的地の間の距離を表す、ステップとを含む、
コンピュータで実行される方法。
【請求項２】
前記ユーザ入力が、前記現在地を表示する前記画面の領域上での長押しを含む、
請求項１に記載のコンピュータで実行される方法。
【請求項３】
前記位置関係が、
前記距離値と、
前記現在地および前記目的地の間の方向関係とを含む、
請求項１に記載のコンピュータで実行される方法。
【請求項４】
前記端末装置によって、前記地図の変更を検出するステップと、
前記現在地を含む変更された地図を提供するステップとをさらに含む、
請求項１に記載のコンピュータで実行される方法。
【請求項５】
前記地図の前記変更が、前記地図の縮尺変更および再配置のうちの少なくとも1つを含む、
請求項４に記載のコンピュータで実行される方法。
【請求項６】
以下の動作を実行するために、コンピュータシステムによって実行可能な1つまたは複数の命令を記憶している非一時的コンピュータ可読媒体であって、前記動作が、
端末装置の画面上に表示される地図内に提示されるべき目的地を指定する入力クエリを受信するステップと、
前記端末装置の前記画面上に表示された前記地図内に現在提示される現在地を選択するユーザ入力を受信するステップであって、前記ユーザ入力が、前記端末装置の前記画面上で行われる、ユーザのプレスおよびホールド操作を含む、ステップと、
前記現在地および前記目的地の間の位置関係に対する要求を示す要求メッセージを生成するステップであって、前記要求メッセージが、前記現在地の識別子を備える、ステップと、
前記要求メッセージを、前記現在地の地理的位置および前記目的地の地理的位置を決定するように構成された地図サーバに送信するステップと、
前記地図サーバから、前記現在地および前記目的地の間の位置関係を受信するステップであって、前記位置関係が、前記現在地の前記地理的位置および前記目的地の前記地理的位置に基づいて決定される、ステップと、
前記地図サーバへの戻り指示の送信をトリガするのに使用される所定の操作を検出するステップであって、前記戻り指示が、前記現在地およびグラフィカルインジケータを表示する第1の地図ビューから、前記目的地に対応する第2の地図ビューへ戻るよう命令するのに使用される、ステップと、
前記所定の操作の検出に応答して、前記戻り指示を前記地図サーバに送信するステップと、
前記地図サーバから前記第2の地図ビューを受信するステップと、
前記目的地に対応する前記第2の地図ビューと、前記入力クエリの前記目的地および前記ユーザのプレス・ホールド操作の前記現在地の前記位置関係を表す前記グラフィカルインジケータとを表示するステップであって、前記グラフィカルインジケータが、前記位置関係に基づいて決定された指示線および距離値を備え、前記指示線が、前記現在地の表示と前記目的地の表示とを結ぶ直線を備え、前記距離値が、前記指示線で描かれた前記現在地および前記目的地の間の距離を表す、ステップとを含む、
非一時的コンピュータ可読媒体。
【請求項７】
前記ユーザ入力が、前記現在地を表示する前記画面の領域上での長押しを含む、
請求項６に記載の非一時的コンピュータ可読媒体。
【請求項８】
前記位置関係が、
前記距離値と、
前記現在地および前記目的地の間の方向関係とを含む、
請求項６に記載の非一時的コンピュータ可読媒体。
【請求項９】
前記動作が、
前記端末装置によって、前記地図の変更を検出するステップと、
前記現在地を含む変更された地図を提供するステップとをさらに含む、
請求項６に記載の非一時的コンピュータ可読媒体。
【請求項１０】
前記地図の前記変更が、前記地図の縮尺変更および再配置のうちの少なくとも1つを含む、
請求項９に記載の非一時的コンピュータ可読媒体。
【請求項１１】
1つまたは複数のコンピュータと、
前記1つまたは複数のコンピュータと相互動作可能に結合された1つまたは複数のコンピュータメモリ装置であって、かつ前記1つまたは複数のコンピュータによって実行された場合に、1つまたは複数の動作を実行するための1つまたは複数の命令を記憶している有形の非一時的マシン可読媒体を有する1つまたは複数のコンピュータメモリ装置とを備えた、
コンピュータで実装されるシステムであって、前記動作が、
端末装置の画面上に表示される地図内に提示されるべき目的地を指定する入力クエリを受信するステップと、
前記端末装置の前記画面上に表示された前記地図内に現在提示される現在地を選択するユーザ入力を受信するステップであって、前記ユーザ入力が、前記端末装置の前記画面上で行われる、ユーザのプレスおよびホールド操作を含む、ステップと、
前記現在地および前記目的地の間の位置関係に対する要求を示す要求メッセージを生成するステップであって、前記要求メッセージが、前記現在地の識別子を備える、ステップと、
前記要求メッセージを、前記現在地の地理的位置および前記目的地の地理的位置を決定するように構成された地図サーバに送信するステップと、
前記地図サーバから、前記現在地および前記目的地の間の位置関係を受信するステップであって、前記位置関係が、前記現在地の前記地理的位置および前記目的地の前記地理的位置に基づいて決定される、ステップと、
前記地図サーバへの戻り指示の送信をトリガするのに使用される所定の操作を検出するステップであって、前記戻り指示が、前記現在地およびグラフィカルインジケータを表示する第1の地図ビューから、前記目的地に対応する第2の地図ビューへ戻るよう命令するのに使用される、ステップと、
前記所定の操作の検出に応答して、前記戻り指示を前記地図サーバに送信するステップと、
前記地図サーバから前記第2の地図ビューを受信するステップと、
前記目的地に対応する前記第2の地図ビューと、前記入力クエリの前記目的地および前記ユーザのプレス・ホールド操作の前記現在地の前記位置関係を表す前記グラフィカルインジケータとを表示するステップであって、前記グラフィカルインジケータが、前記位置関係に基づいて決定された指示線および距離値を備え、前記指示線が、前記現在地の表示と前記目的地の表示とを結ぶ直線を備え、前記距離値が、前記指示線で描かれた前記現在地および前記目的地の間の距離を表す、ステップとを含む、
コンピュータで実装されるシステム。
【請求項１２】
前記ユーザ入力が、前記現在地を表示する前記画面の領域上での長押しを含む、
請求項１１に記載のコンピュータで実装されるシステム。
【請求項１３】
前記位置関係が、
前記距離値と、
前記現在地および前記目的地の間の方向関係とを含む、
請求項１１に記載のコンピュータで実装されるシステム。
【請求項１４】
前記動作が、
前記端末装置によって、前記地図の変更を検出するステップと、
前記現在地を含む変更された地図を提供するステップとをさらに含む、
請求項１１に記載のコンピュータで実装されるシステム。
【請求項１５】
前記グラフィカルインジケータが、前記目的地および前記現在地の間に形成された1つまたは複数のアーチをさらに含み、
前記1つまたは複数のアーチの各アーチが、前記目的地を中心としかつ前記目的地からの所定の距離を表す各半径を有する各円の一部分である、
請求項１に記載のコンピュータで実行される方法。
【請求項１６】
前記グラフィカルインジケータが、前記目的地および前記現在地の間に形成された1つまたは複数のアーチをさらに含み、
前記1つまたは複数のアーチの各アーチが、前記目的地を中心としかつ前記目的地からの所定の距離を表す各半径を有する各円の一部分である、
請求項６に記載の非一時的コンピュータ可読媒体。
【請求項１７】
前記グラフィカルインジケータが、前記目的地および前記現在地の間に形成された1つまたは複数のアーチをさらに含み、
前記1つまたは複数のアーチの各アーチが、前記目的地を中心としかつ前記目的地からの所定の距離を表す各半径を有する各円の一部分である、
請求項１１に記載のコンピュータで実装されるシステム。